(57)【要約】【課題】通信リソースの無駄な消費を防ぐこと。【解決手段】ハンドオーバ制御装置１０において、取得部１１は、各基地局２０の無線品質を取得してハンドオーバ制御部１２へ出力し、ハンドオーバ制御部１２は、ハンドオーバ先基地局の無線品質がハンドオーバ元基地局の無線品質より良好な場合であっても、ハンドオーバ元基地局のセルにハンドオーバ対象の移動局以外の他のマルチキャスト通信移動局が存在し、かつ、ハンドオーバ先基地局のセルに他のマルチキャスト移動局が存在しない場合には、ハンドオーバ元基地局の送信電力を増加させてハンドオーバ元基地局のセルを拡大させる。【選択図】図２
2014007474.tif 000002
【特許請求の範囲】
【請求項１】
ハンドオーバ対象の第１の移動局へマルチキャスト通信を行っている第１の基地局と前記第１の移動局との間の第１の無線品質、及び、前記第１の基地局と異なる第２の基地局と前記第１の移動局との間の第２の無線品質を取得する取得部と、
前記第２の無線品質が前記第１の無線品質より良好な場合であっても、前記第１の基地局が前記第１の移動局と異なる第２の移動局へ前記マルチキャスト通信を行っており、かつ、前記第２の基地局が前記マルチキャスト通信を行っていない場合には、前記第１の基地局の送信電力を増加する制御部と、
を具備するハンドオーバ制御装置。
【請求項２】
前記制御部は、
前記第２の無線品質が前記第１の無線品質より良好な場合には、
前記第２の基地局が前記第２の移動局へ前記マルチキャスト通信を行っている場合、または、
前記第２の基地局が前記マルチキャスト通信を行っておらず、かつ、前記第１の基地局が前記第２の移動局へ前記マルチキャスト通信を行っていない場合に、
前記第１の移動局を前記第１の基地局から前記第２の基地局へハンドオーバさせる、
請求項１に記載のハンドオーバ制御装置。
【請求項３】
第１の増幅率を有する第１増幅部と、
前記第１の増幅率より大きい第２の増幅率を有する第２増幅部と、
請求項１に記載のハンドオーバ制御装置からの送信電力増加指示に従って、マルチキャスト通信に用いられる電力増幅部を、前記第１の電力増幅部から前記第２の電力増幅部に切り替える切替制御部と、
を具備する基地局。
【請求項４】
可変の増幅率を有する電力増幅部と、
請求項１に記載のハンドオーバ制御装置からの送信電力増加指示に従って、マルチキャスト通信に用いられる前記電力増幅部の前記可変の増幅率を増加させる増幅率制御部と、
を具備する基地局。
【請求項５】
自局へマルチキャスト通信を行っている第１の基地局と自局との間の第１の無線品質、及び、前記第１の基地局と異なる第２の基地局と自局との間の第２の無線品質を測定する測定部と、
前記第１の無線品質及び前記第２の無線品質が含まれる報告を送信し、前記第２の無線品質が前記第１の無線品質より良好な場合には、前記第２の基地局が自局と異なる他の移動局へ前記マルチキャスト通信を行っている場合、または、前記第２の基地局が前記マルチキャスト通信を行っておらず、かつ、前記第１の基地局が前記他の移動局へ前記マルチキャスト通信を行っていない場合に、通信チャネル切替指示を受信する通信部と、
を具備する移動局。
【請求項６】
ハンドオーバ対象の第１の移動局へマルチキャスト通信を行っている第１の基地局と前記第１の移動局との間の第１の無線品質、及び、前記第１の基地局と異なる第２の基地局と前記第１の移動局との間の第２の無線品質を取得し、
前記第２の無線品質が前記第１の無線品質より良好な場合であっても、前記第１の基地局が前記第１の移動局と異なる第２の移動局へ前記マルチキャスト通信を行っており、かつ、前記第２の基地局が前記マルチキャスト通信を行っていない場合には、前記第１の基地局の送信電力を増加する、
ハンドオーバ制御方法。
【発明の詳細な説明】
【技術分野】
【０００１】
本発明は、ハンドオーバ制御装置、基地局、移動局、及び、ハンドオーバ制御方法に関する。
【背景技術】
【０００２】
移動体通信では、複数のセルにより通信エリアが形成される。このため、移動局の移動に伴って、互いに隣接する複数の基地局間において移動局の通信相手となる基地局を切り替える（つまり、通信セルを切り替える）ハンドオーバが行われる。
【０００３】
また、移動体通信の分野において、マルチキャスト通信に関する検討が行われている。マルチキャスト通信は、通話サービス等、基地局がそれぞれ異なるデータをそれぞれ異なる移動局に対して送信する１対１（Point  to  Point：P-to-P）の通信（ユニキャスト通信）ではなく、１対多（Point  to  Multi：P-to-M）の通信である。すなわち、マルチキャスト通信では、１つの基地局が複数の移動局へ同一のデータを同時に送信する。このマルチキャスト通信により、移動体通信システムにおいて、例えば、音楽データまたはビデオ画像データの配信サービス、ニュース配信サービス、及び、テレビ放送等の放送サービスが実現される。
【先行技術文献】
【特許文献】
【０００４】
【特許文献１】特開２００３−０８７８４０号公報
【特許文献２】特開２００６−１２９０７２号公報
【発明の概要】
【発明が解決しようとする課題】
【０００５】
上記のようにマルチキャスト通信では、１つの基地局が複数の移動局へ同一のデータを同時に送信する。このため、基地局は、自セルに複数の移動局が存在しても、マルチキャスト通信を１つだけ行えば足りる。よって、基地局は、他セルから自セルに移動局がハンドオーバしても、自セルにすでにマルチキャスト通信を受信している他の移動局が存在する場合には、新たにマルチキャスト通信を開始する必要がない。一方で、基地局は、他セルから自セルに移動局がハンドオーバするときに、自セルにマルチキャスト通信を受信している他の移動局が存在しない場合には、そのハンドオーバ対象の移動局のために新たにマルチキャスト通信を開始しなければならない。
【０００６】
マルチキャスト通信によって配信されるデータは、通常、マルチメディアコンテンツのようなデータ量が大きいデータである。このため、複数のセルのそれぞれにおいて同一のマルチキャスト通信が行われると、非常に多くの通信リソースが消費される。
【０００７】
また、マルチキャスト通信は、１対多の通信であるため、基地局は、１つの移動局からの通信開始要求に対して、自セル内の全移動局が受信可能な共通チャネルを用いて通信可否をその１つの移動局に通知する。このため、基地局は、他セルから自セルに移動局がハンドオーバするときに、自セルにマルチキャスト通信を受信している他の移動局が存在しない場合には、そのハンドオーバ対象の移動局のために新たに共通チャネルを設定しなければならない。新たに共通チャネルが設定されると、さらに通信リソースが消費される。
【０００８】
開示の技術は、上記に鑑みてなされたものであって、通信リソースの無駄な消費を防ぐことができる、ハンドオーバ制御装置、基地局、移動局、及び、ハンドオーバ制御方法を提供することを目的とする。
【課題を解決するための手段】
【０００９】
開示の態様のハンドオーバ制御装置は、ハンドオーバ対象の第１の移動局へマルチキャスト通信を行っている第１の基地局と前記第１の移動局との間の第１の無線品質、及び、前記第１の基地局と異なる第２の基地局と前記第１の移動局との間の第２の無線品質を取得する取得部と、前記第２の無線品質が前記第１の無線品質より良好な場合であっても、前記第１の基地局が前記第１の移動局と異なる第２の移動局へ前記マルチキャスト通信を行っており、かつ、前記第２の基地局が前記マルチキャスト通信を行っていない場合には、前記第１の基地局の送信電力を増加する制御部と、を具備する。
【発明の効果】
【００１０】
開示の態様によれば、通信リソースの無駄な消費を防ぐことができる。
【図面の簡単な説明】
【００１１】
【図１】図１は、実施例１の通信システムの一例を示す図である。
【図２】図２は、実施例１のハンドオーバ制御装置の一例を示すブロック図である。
【図３】図３は、実施例１のハンドオーバ制御部の処理の説明に供する図である。
【図４】図４は、実施例１のハンドオーバ制御の一例を示す図である。
【図５】図５は、実施例１のハンドオーバ制御の一例を示す図である。
【図６】図６は、実施例２の基地局の一例を示すブロック図である。
【図７】図７は、実施例２の移動局の一例を示すブロック図である。
【図８】図８は、実施例２の通信システムの処理動作の説明に供するシーケンス図である。
【図９】図９は、実施例３のハンドオーバ制御装置の一例を示すブロック図である。
【図１０】図１０は、実施例３の基地局の一例を示すブロック図である。
【図１１】図１１は、実施例３の通信システムの処理動作の説明に供するシーケンス図である。
【図１２】図１２は、実施例４の無線インタフェース部の一例を示すブロック図（構成例１）である。
【図１３】図１３は、実施例４の無線インタフェース部の一例を示すブロック図（構成例２）である。
【図１４】図１４は、基地局のハードウェア構成例を示す図である。
【図１５】図１５は、移動局のハードウェア構成例を示す図である。
【図１６】図１６は、ハンドオーバ制御装置のハードウェア構成例を示す図である。
【発明を実施するための形態】
【００１２】
以下に、本願の開示するハンドオーバ制御装置、基地局、移動局、及び、ハンドオーバ制御方法の実施例を図面に基づいて詳細に説明する。なお、この実施例により本願の開示するハンドオーバ制御装置、基地局、移動局、及び、ハンドオーバ制御方法が限定されるものではない。また、実施例において同一の機能を有する構成には同一の符号を付し、重複する説明は省略される。
【００１３】
［実施例１］
＜通信システムの概要＞
図１は、実施例１の通信システムの一例を示す図である。図１において、通信システム１は、ハンドオーバ制御装置１０と、基地局２０−１，２０−２と、移動局３０と、交換機４０とを有する。
【００１４】
移動局３０は、基地局２０−１を介してマルチキャスト通信を行っている。すなわち、基地局２０−１は、ハンドオーバ元基地局（以下では、「ＨＯ元基地局」と呼ばれることがある）である。また、基地局２０−２は、ＨＯ元基地局に隣接するハンドオーバ先の基地局（以下では、「ＨＯ先基地局」と呼ばれることがある）である。
【００１５】
移動局３０は、ＨＯ元基地局のセルとＨＯ先基地局のセルとの重複範囲に位置するとき、ＨＯ元基地局及びＨＯ先基地局の双方から参照信号を受信する。つまり、移動局３０は、ハンドオーバ対象の移動局である。
【００１６】
そして、移動局３０は、受信された参照信号に基づいて、各基地局２０と移動局３０との間の無線品質を測定する。各基地局２０についての測定結果は、基地局の識別情報と対応づけられ且つ測定報告（Measurement  Report）に含められて、ＨＯ元基地局を介してハンドオーバ制御装置１０へ送信される。
【００１７】
ハンドオーバ制御装置１０は、各基地局２０の無線品質、及び、各基地局２０のセル内に移動局３０の他にマルチキャスト通信を受信している移動局（以下では、「ＭＣ移動局」と呼ばれることがある）が存在するか否か（すなわち、各基地局２０が移動局３０と異なる他の移動局へマルチキャスト通信を行っているか否か）に基づいて、移動局３０をハンドオーバさせるか否かを決定する（ハンドオーバ判定）。
【００１８】
そして、ハンドオーバ制御装置１０が移動局３０をハンドオーバさせると決定した場合には、移動局３０宛てのマルチキャスト通信データが交換機４０によってＨＯ元基地局に代わってＨＯ先基地局へ送出される。これにより、移動局３０は、ＨＯ先基地局経由でマルチキャスト通信データを受け取ることになる。
【００１９】
一方で、ハンドオーバ制御装置１０は、移動局３０をハンドオーバさせないと決定した場合には、ＨＯ元基地局の送信電力を増加する。これにより、ＨＯ元基地局のセルが拡大する。
【００２０】
＜ハンドオーバ制御装置の構成＞
図２は、実施例１のハンドオーバ制御装置の一例を示すブロック図である。図２において、ハンドオーバ制御装置１０は、取得部１１と、ハンドオーバ制御部１２とを有する。
【００２１】
取得部１１は、各基地局２０の無線品質を取得し、ハンドオーバ制御部１２へ出力する。
【００２２】
ハンドオーバ制御部１２は、取得部１１から受け取った無線品質、及び、各基地局２０のセルに移動局３０以外のＭＣ移動局（以下では、「他のＭＣ移動局」と呼ばれることがある）が存在するか否か（すなわち、各基地局２０が移動局３０と異なる他の移動局へマルチキャスト通信を行っているか否か）に基づいて、移動局３０をハンドオーバさせるか否かを決定する（ハンドオーバ判定）。
【００２３】
具体的には、ハンドオーバ制御部１２は、ＨＯ元基地局（基地局２０−１）の無線品質が、ＨＯ先基地局（基地局２０−２）の無線品質と等しいか、または、ＨＯ先基地局の無線品質より良好な場合には、移動局３０をＨＯ先基地局へハンドオーバさせない。
【００２４】
一方で、ハンドオーバ制御部１２は、ＨＯ先基地局（基地局２０−２）の無線品質が、ＨＯ元基地局（基地局２０−１）の無線品質より良好な場合には、図３〜図５に示すようにしてハンドオーバ判定を行う。図３は、実施例１のハンドオーバ制御部の処理の説明に供する図である。図４及び図５は、実施例１のハンドオーバ制御の一例を示す図である。
【００２５】
すなわち、ハンドオーバ制御部１２は、ＨＯ先基地局の無線品質がＨＯ元基地局の無線品質より良好な場合であっても、ＨＯ元基地局のセルに他のＭＣ移動局が存在し（他のＭＣ移動局：有り）、かつ、ＨＯ先基地局のセルに他のＭＣ移動局が存在しない（他のＭＣ移動局：無し）場合には、図３及び図４に示すように、ＨＯ元基地局の送信電力を増加させてＨＯ元基地局のセルを拡大させる。このため、ハンドオーバ制御部１２は、ＨＯ元基地局へ送信電力増加指示を出力する。よって、移動局３０はＨＯ先基地局へハンドオーバしなくても、ＨＯ元基地局とマルチキャスト通信を継続して行うことができる。これにより、ＨＯ先基地局において、ハンドオーバ対象の移動局３０のために新たなマルチキャスト通信が開始されることを防ぐことができる。このため、ＨＯ先基地局において、ハンドオーバ対象の移動局３０のために新たに共通チャネルが設定されることを防ぐことができる。よって、本実施例によれば、通信リソースの無駄な消費を防ぐことができる。
【００２６】
一方で、ハンドオーバ制御部１２は、ＨＯ先基地局の無線品質がＨＯ元基地局の無線品質より良好な場合で、かつ、以下の２つの条件のいずれか１つに該当する場合には、図３及び図５に示すように、移動局３０をＨＯ先基地局へハンドオーバさせる。このため、ハンドオーバ制御部１２は、ＨＯ先基地局へハンドオーバ要求を出力する。２つの条件とは、図３に示すように、＜条件１＞ＨＯ先基地局のセルに他のＭＣ移動局が存在する場合（他のＭＣ移動局：有り）、または、＜条件２＞ＨＯ元基地局のセル及びＨＯ先基地局のセルの双方に他のＭＣ移動局が存在しない場合（他のＭＣ移動局：無し）である。なお、＜条件１＞の場合には、ハンドオーバ制御部１２は、ＨＯ元基地局のセルに他のＭＣ移動局が存在するか否かにかかわらず、移動局３０をＨＯ先基地局へハンドオーバさせる（図３）。
【００２７】
ここで、マルチキャスト通信には、現在の地上波でのテレビ放送やラジオ放送のようにセル内の不特定の全移動局が受信可能なもの（以下、「不特定のマルチキャスト通信」と呼ばれることがある）と、セル内の複数の移動局のうち一部の特定の移動局のみが受信可能なもの（以下、「特定のマルチキャスト通信」と呼ばれることがある）とがある。例えば、特定のマルチキャスト通信として、種々の配信サービスのうち、サービス提供者との契約を結んだ配信サービスを契約対象の特定の移動局に提供するマルチキャスト通信がある。また例えば、特定のマルチキャスト通信として、音楽データまたはビデオ画像データを購入した特定の移動局へ購入対象のデータを提供するマルチキャスト通信がある。また例えば、特定のマルチキャスト通信として、サービス提供者が各種条件に基づいて選択した特定の移動局に情報を配信するマルチキャスト通信がある。
【００２８】
そこで、不特定のマルチキャスト通信は、セル内に１つも移動局が存在しない基地局でも行われるのに対し、特定のマルチキャスト通信は、セル内に特定の移動局が存在する場合にのみ行われる。よって、特定のマルチキャスト通信のハンドオーバでは、移動局３０が受信している特定のマルチキャスト通信と同一のものを受信している他の特定のＭＣ移動局が存在する場合に、他のＭＣ移動局が存在することになる。換言すれば、特定のマルチキャスト通信のハンドオーバでは、移動局３０が受信している特定のマルチキャスト通信と同一のものを受信している他の特定のＭＣ移動局が存在しない場合に、他のＭＣ移動局が存在しないことになる。一方で、不特定のマルチキャスト通信のハンドオーバでは、マルチキャスト通信の機能を有しない基地局のセルにはＭＣ移動局が存在しないことになる。
【００２９】
以上のように本実施例によれば、ハンドオーバ制御装置１０において、取得部１１は、ハンドオーバ対象の移動局３０へマルチキャスト通信を行っているＨＯ元基地局と移動局３０との間の無線品質（第１の無線品質）、及び、ＨＯ先基地局と移動局３０との間の無線品質（第２の無線品質）を取得する。そして、ハンドオーバ制御部１２は、第２の無線品質が第１の無線品質より良好な場合であっても、ＨＯ元基地局が他の移動局へマルチキャスト通信を行っており、かつ、ＨＯ先基地局がマルチキャスト通信を行っていない場合には、ＨＯ元基地局の送信電力を増加する。これにより、ＨＯ元基地局のセルが拡大されて、移動局３０のＨＯ先基地局へのハンドオーバを回避することができる。よって、自セルに他のＭＣ移動局が存在しないＨＯ先基地局において、移動局３０のために新たなマルチキャスト通信が開始されることを防ぐことができるとともに、移動局３０のために新たに共通チャネルが設定されることを防ぐことができる。よって、本実施例によれば、移動局３０へのマルチキャスト通信の無線品質を維持したまま、通信リソースの無駄な消費を防ぐことができる。
【００３０】
また、本実施例によれば、ハンドオーバ制御部１２は、ＨＯ先基地局の無線品質がＨＯ元基地局の無線品質より良好な場合には、ＨＯ先基地局が他の移動局へマルチキャスト通信を行っている場合、または、ＨＯ元基地局及びＨＯ先基地局の双方が他の移動局へマルチキャスト通信を行っていない場合に、移動局３０をＨＯ元基地局からＨＯ先基地局へハンドオーバさせる。これにより、ＨＯ先基地局が他の移動局へマルチキャスト通信を行っている場合には、ＨＯ先基地局において移動局３０を既存のマルチキャスト通信に含めることができる。また、ＨＯ元基地局及びＨＯ先基地局の双方が他の移動局へマルチキャスト通信を行っていない場合には、ＨＯ先基地局において新たなマルチキャスト通信が開始される一方で、ＨＯ元基地局ではマルチキャスト通信の通信リソースを解放することができる。よって、本実施例によれば、移動局３０を無線品質がより良好なセルへハンドオーバさせる際にも、通信リソースの無駄な消費を防ぐことができる。
【００３１】
［実施例２］
実施例２は、ハンドオーバ制御装置を基地局に適用した場合の実施例である。
【００３２】
＜基地局の構成＞
図６は、実施例２の基地局の一例を示すブロック図である。図６において、基地局５０は、送信電力制御部５５と、呼制御部５６と、ハンドオーバ制御部５７と、信号処理部５８と、無線インタフェース部５９と、基地局間インタフェース部６０と、交換インタフェース部６１とを有する。ここで、呼制御部５６は実施例１の取得部１１に対応し、ハンドオーバ制御部５７は実施例１のハンドオーバ制御部１２に対応する。また、基地局５０は、実施例１の各基地局２０に対応する。
【００３３】
呼制御部５６は、呼処理シーケンスに応じて制御信号を、他の基地局、移動局３０または交換機４０との間で送受信する。また、呼制御部５６は、移動局３０―各基地局５０間の無線品質を、移動局３０または他の基地局から取得する。また、呼制御部５６は、自局のセル及び隣接基地局のセルに存在する移動局がどのような通信状態にあるかを示す情報（以下、「通信状態情報」と呼ばれることがある）を上位の装置から取得する。この通信状態情報には、各セルに存在する移動局毎に、ユニキャスト通信、または、マルチキャスト通信のいずれが行われているかが示されている。また、移動局がマルチキャスト通信を行っている場合には、通信状態情報には、その移動局が、不特定のマルチキャスト通信、または、特定のマルチキャスト通信のいずれを行っているかが示されている。
【００３４】
ハンドオーバ制御部５７は、上述したハンドオーバ制御部１２と同様の機能を有する。すなわち、ハンドオーバ制御部５７は、呼制御部５６から受け取った無線品質、及び、各基地局５０のセルに他のＭＣ移動局が存在するか否か（すなわち、各基地局５０が移動局３０と異なる他の移動局へマルチキャスト通信を行っているか否か）に基づいて、移動局３０をハンドオーバさせるか否かを決定する（ハンドオーバ判定）。そして、ハンドオーバ制御部５７は、ＨＯ元基地局の送信電力を増加すると決定した場合には、送信電力増加指示を送信電力制御部５５へ出力する。また、ハンドオーバ制御部５７は、移動局３０をＨＯ先基地局へハンドオーバさせると決定した場合には、ハンドオーバ要求を呼制御部５６へ出力する。
【００３５】
送信電力制御部５５は、ハンドオーバ制御部５７からの指示の下、無線インタフェース部５９での信号増幅率を制御して基地局５０の送信電力を制御する。
【００３６】
信号処理部５８は、自局と、他の基地局、移動局３０または交換機４０との間で送受信される信号に対する送受信処理を行う。具体的には、信号処理部５８は、変復調部６２と、無線プロトコル処理部６３と、基地局間プロトコル処理部６４と、交換プロトコル処理部６５とを有する。
【００３７】
変復調部６２は、移動局３０との間の通信データの変調・復調を行う。
【００３８】
無線プロトコル処理部６３は、移動局３０との間の無線プロトコルの終端を行う。
【００３９】
基地局間プロトコル処理部６４は、他の基地局との間の基地局間プロトコルの終端を行う。
【００４０】
交換プロトコル処理部６５は、交換機４０との間の交換機向けプロトコルの終端を行う。
【００４１】
無線インタフェース部５９は、移動局３０との間でアンテナを介して無線信号を送受信する。
【００４２】
基地局間インタフェース部６０は、基地局５０に隣接する他の基地局との間で伝送路を介して信号を送受信する。
【００４３】
交換インタフェース部６１は、交換機４０との間で伝送路を介して信号を送受信する。
【００４４】
＜移動局の構成＞
図７は、実施例２の移動局の一例を示すブロック図である。図７において、移動局９０は、制御部９１と、無線プロトコル処理部９２と、無線インタフェース部９３と、無線品質測定部９４とを有する。移動局９０は、実施例１の移動局３０に対応する。
【００４５】
制御部９１は、呼処理シーケンスに応じて制御信号を、ＨＯ元基地局またはＨＯ先基地局との間で送受信する。また、制御部９１は、無線品質測定部９４に対して測定指示することにより無線品質測定を制御し、測定結果を測定報告に含めてＨＯ元基地局へ送信する。
【００４６】
無線プロトコル処理部９２は、ＨＯ元基地局またはＨＯ先基地局との間の無線プロトコルの終端を行う。
【００４７】
無線インタフェース部９３は、ＨＯ元基地局またはＨＯ先基地局との間でアンテナを介して無線信号を送受信する。
【００４８】
無線品質測定部９４は、制御部９１からの指示に従って、ＨＯ元基地局及びＨＯ先基地局から送信された参照信号に基づいて、各基地局との間の無線品質を測定する。ＨＯ元基地局は、移動局９０へマルチキャスト通信を行っている基地局である。そして、無線品質測定部９４は、各基地局の識別情報と測定結果とを対応付けて制御部９１へ出力する。
【００４９】
そして、制御部９１、無線プロトコル処理部９２及び無線インタフェース部９３は、測定された無線品質を含めた測定報告をＨＯ元基地局へ送信する。これにより、基地局５０のハンドオーバ制御部５７は、無線品質を用いたハンドオーバ判定を行うことができる。
【００５０】
また、制御部９１、無線プロトコル処理部９２及び無線インタフェース部９３は、ＨＯ先基地局の無線品質がＨＯ元基地局の無線品質より良好な場合で、かつ、上記の２つの条件（実施例１の＜条件１＞，＜条件２＞）のいずれか１つに該当する場合には、ＨＯ元基地局から、通信チャネル切替指示及びＨＯ先基地局に関する情報を含むメッセージを受信する。そして、制御部９１は、受信されたメッセージに基づいて、マルチキャリア通信に用いられる通信チャネルを、ＨＯ元基地局の通信チャネルからＨＯ先基地局の通信チャネルへ切り替える。
【００５１】
＜通信システムの動作＞
図８は、実施例２の通信システムの処理動作の説明に供するシーケンス図である。
【００５２】
移動局９０において無線品質測定部９４は、ＨＯ元基地局及びＨＯ先基地局から送信された参照信号を用いて、自局とＨＯ元基地局との間の無線品質、及び、自局とＨＯ先基地局との間の無線品質を測定する。そして、制御部９１は、測定結果を含む測定報告（Measurement  Report）を、無線プロトコル処理部９２及び無線インタフェース部９３を介してＨＯ元基地局５０−１へ送信する（ステップＳ１１）。
【００５３】
ＨＯ元基地局５０−１において、呼制御部５６は、無線インタフェース部５９及び信号処理部５８を介して受け取った測定報告を、ハンドオーバ制御部５７に出力する。また、呼制御部５６は、交換インタフェース部６１または基地局間インタフェース部６０、及び、信号処理部５８を介して受け取った通信状態情報を、ハンドオーバ制御部５７に出力する。
【００５４】
次いで、ハンドオーバ制御部５７は、上述したハンドオーバ判定を行う（ステップＳ１２）。
【００５５】
そして、ハンドオーバ制御部５７は、上述したハンドオーバ判定に従って、ＨＯ元基地局５０−１の送信電力を増加すると決定した場合には、送信電力増加指示を送信電力制御部５５に出力する。この送信電力増加指示に従って、送信電力制御部５５は、無線インタフェース部５９での信号増幅率を増加する。これにより、ＨＯ元基地局５０−１の送信電力が増加する（ステップＳ１３）。ＨＯ元基地局５０−１の送信電力が増加される場合には、シーケンスはここで終了する。
【００５６】
一方で、ハンドオーバ制御部５７は、上述したハンドオーバ判定に従って、移動局９０をＨＯ先基地局５０−２へハンドオーバさせると決定した場合には、ハンドオーバ要求を呼制御部５６へ出力する。呼制御部５６は、ＨＯ先基地局５０−２に対して、ハンドオーバ要求（HANDOVER  REQUEST）を送信する（ステップＳ１４）。
【００５７】
ＨＯ先基地局５０−２において、呼制御部５６は、ハンドオーバ要求を受け取ると、ハンドオーバ後に使用される通信リソースを確保し（ステップＳ１５）、ハンドオーバ応答（HANDOVER  REQUEST  ACKNOWLEDGE）をＨＯ元基地局５０−１へ返信する（ステップＳ１６）。
【００５８】
ＨＯ元基地局５０−１において、呼制御部５６は、ハンドオーバ応答を受け取ると、移動局９０に対して、ハンドオーバ指示（RRC  connection  reconfiguration）を送信する（ステップＳ１７）。
【００５９】
移動局９０において、制御部９１は、ハンドオーバ指示を受け取ると、マルチキャリア通信に用いられる通信チャネルを、ＨＯ先基地局５０−２へのハンドオーバ後の通信チャネルに切り替える。そして、制御部９１は、切り替えた通信チャネルを用いてＨＯ先基地局５０−２に対して、ハンドオーバ実施完了（RRC  connection  reconfiguration  complete）を送信する（ステップＳ１８）。
【００６０】
ＨＯ先基地局５０−２において、呼制御部５６は、ハンドオーバ実施完了を受け取ると、交換機４０に対してデータの送受信先をＨＯ元基地局５０−１からＨＯ先基地局５０−２に切り替えるように、パス変更要求（PATH  SWITCH  REQUEST）を送信する（ステップＳ１９）。
【００６１】
交換機４０は、パス変更要求を受け取ると、データの送受信先をＨＯ元基地局５０−１からＨＯ先基地局５０−２へ切り替え（ステップＳ２０）、ＨＯ先基地局５０−２に対してパス変更応答（PATH  SWITCH  REQUEST  ACKNOWLEDGE）を送信する（ステップＳ２１）。
【００６２】
ＨＯ先基地局５０−２において、呼制御部５６は、パス変更応答を受け取ると、ＨＯ元基地局５０−１に対して、ハンドオーバ完了（CONTEXT  RELEASE）を送信する（ステップＳ２２）。
【００６３】
ＨＯ元基地局５０−１において、呼制御部５６は、ハンドオーバ完了を受け取ると、ハンドオーバ前の通信リソースを解放する（ステップＳ２３）。
【００６４】
以上のように本実施例によれば、ハンドオーバ制御装置１０を基地局に適応した場合でも、実施例１と同様の効果を得ることができる。
【００６５】
［実施例３］
実施例３は、ハンドオーバ制御装置を基地局と独立の装置とした場合の実施例である。
【００６６】
＜ハンドオーバ制御装置の構成＞
図９は、実施例３のハンドオーバ制御装置の一例を示すブロック図である。図９において、ハンドオーバ制御装置１００は、ハンドオーバ制御部１０１と、ネットワーク制御部１０２と、基地局間プロトコル処理部１０３と、基地局間インタフェース部１０４と、記憶部１０５とを有する。ここで、ネットワーク制御部１０２は実施例１の取得部１１に対応し、ハンドオーバ制御部１０１は実施例１のハンドオーバ制御部１２に対応する。
【００６７】
ハンドオーバ制御部１０１は、上述したハンドオーバ制御部１２と同様の機能を有する。すなわち、ハンドオーバ制御部１０１は、ネットワーク制御部１０２から受け取った無線品質、及び、各基地局２０のセルに他のＭＣ移動局が存在するか否か（すなわち、各基地局２０が移動局９０と異なる他の移動局へマルチキャスト通信を行っているか否か）に基づいて、移動局９０をハンドオーバさせるか否かを決定する（ハンドオーバ判定）。記憶部１０５には、移動局毎の通信状態情報が記憶されている。そこで、ハンドオーバ制御部１０１は、記憶部１０５に記憶されている通信状態情報を参照してハンドオーバ判定を行う。そして、ハンドオーバ制御部１０１は、ＨＯ元基地局の送信電力を増加すると決定した場合には、送信電力増加指示をネットワーク制御部１０２へ出力する。また、ハンドオーバ制御部１０１は、移動局９０をＨＯ先基地局へハンドオーバさせると決定した場合には、ハンドオーバ要求をネットワーク制御部１０２へ出力するとともに、記憶部１０５に記憶されている通信状態情報を更新する。
【００６８】
ネットワーク制御部１０２は、呼処理シーケンスに応じて制御信号を、他の基地局との間で送受信する。この制御信号には、送信電力増加指示またはハンドオーバ要求が含まれる。
【００６９】
基地局間プロトコル処理部１０３は、ＨＯ元基地局またはＨＯ先基地局との間の基地局間プロトコルの終端を行う。
【００７０】
基地局間インタフェース部１０４は、ＨＯ元基地局またはＨＯ先基地局との間で伝送路を介して信号を送受信する。
【００７１】
＜基地局の構成＞
図１０は、実施例３の基地局の一例を示すブロック図である。図１０において、基地局１１０は、呼制御部１１１と、送信電力制御部１１２とを有する。基地局１１０は、実施例１の各基地局２０に対応する。
【００７２】
呼制御部１１１は、呼処理シーケンスに応じて制御信号を、他の基地局、移動局９０、ハンドオーバ制御装置１００または交換機４０との間で送受信する。また、呼制御部１１１は、ハンドオーバ制御装置１００から受け取った送信電力増加指示を送信電力制御部１１２へ出力する。
【００７３】
送信電力制御部１１２は、呼制御部１１１から入力される送信電力増加指示に従って、無線インタフェース部５９での信号増幅率を制御して基地局１１０の送信電力を制御する。
【００７４】
＜通信システムの動作＞
図１１は、実施例３の通信システムの処理動作の説明に供するシーケンス図である。
【００７５】
移動局９０において無線品質測定部９４は、ＨＯ元基地局及びＨＯ先基地局から送信された参照信号を用いて、自局とＨＯ元基地局との間の無線品質、及び、自局とＨＯ先基地局との間の無線品質を測定する。そして、制御部９１は、測定結果を含む測定報告（Measurement  Report）を、無線プロトコル処理部９２及び無線インタフェース部９３を介してＨＯ元基地局１１０−１へ送信する（ステップＳ３１）。
【００７６】
ＨＯ元基地局１１０−１において、呼制御部１１１は、無線インタフェース部５９及び信号処理部５８を介して受け取った測定報告を、ハンドオーバ制御装置１００へ送信する（ステップＳ３２）。
【００７７】
ハンドオーバ制御装置１００において、ハンドオーバ制御部１０１は、基地局間インタフェース部１０４、基地局間プロトコル処理部１０３及びネットワーク制御部１０２を介して、測定報告を受け取る。
【００７８】
次いで、ハンドオーバ制御部１０１は、上述したハンドオーバ判定を行う（ステップＳ３３）。
【００７９】
そして、ハンドオーバ制御部１０１は、上述したハンドオーバ判定に従って、ＨＯ元基地局１１０−１の送信電力を増加すると決定した場合には、送信電力増加指示をネットワーク制御部１０２に出力する。ネットワーク制御部１０２は、送信電力増加指示をＨＯ元基地局１１０−１へ送信する（ステップＳ３４）。
【００８０】
ＨＯ元基地局１１０−１において、呼制御部１１１は、ハンドオーバ制御装置１００から受け取った送信電力増加指示を送信電力制御部１１２へ出力する。この送信電力増加指示に従って、送信電力制御部１１２は、無線インタフェース部５９での信号増幅率を増加する。これにより、ＨＯ元基地局１１０−１の送信電力が増加する（ステップＳ３５）。ＨＯ元基地局１１０−１の送信電力が増加される場合には、シーケンスはここで終了する。
【００８１】
一方で、ハンドオーバ制御部１０１は、上述したハンドオーバ判定に従って、移動局９０をＨＯ先基地局１１０−２へハンドオーバさせると決定した場合には、ハンドオーバ要求をネットワーク制御部１０２へ出力する。ネットワーク制御部１０２は、ＨＯ先基地局１１０−２に対して、ハンドオーバ要求（HANDOVER  REQUEST）を送信する（ステップＳ３６）。
【００８２】
ＨＯ先基地局１１０−２において、呼制御部１１１は、ハンドオーバ要求を受け取ると、ハンドオーバ後に使用される通信リソースを確保し（ステップＳ３７）、ハンドオーバ応答（HANDOVER  REQUEST  ACKNOWLEDGE）をハンドオーバ制御装置１００へ返信する（ステップＳ３８）。
【００８３】
ハンドオーバ制御装置１００において、ネットワーク制御部１０２は、ハンドオーバ応答を受け取ると、ＨＯ元基地局１１０−１に対して、ハンドオーバ指示（RRC  connection  reconfiguration）を送信する（ステップＳ３９）。
【００８４】
ＨＯ元基地局１１０−１において、呼制御部１１１は、ハンドオーバ制御装置１００から受け取ったハンドオーバ指示を、移動局９０へ送信する（ステップＳ４０）。
【００８５】
以上のように本実施例によれば、ハンドオーバ制御装置１００を基地局と独立の装置とした場合でも、実施例１と同様の効果を得ることができる。
【００８６】
［実施例４］
実施例４では、基地局の無線インタフェース部の構成例について説明する。
【００８７】
＜構成例１＞
図１２は、実施例４の無線インタフェース部の一例を示すブロック図（構成例１）である。なお、図１２には送信側の構成例を示す。図１２において、無線インタフェース部５９は、ＤＡＣ（Digital  to  Analog  Converter）７１と、アップコンバータ７２と、スイッチ７３，７４と、ＰＡ（Power  Amplifier）７５，７６と、アンテナ７７とを有する。ＰＡ７６の増幅率は、ＰＡ７５の増幅率より大きい。
【００８８】
ＤＡＣ７１は、デジタルの信号をアナログの信号に変換し、変換後の信号をアップコンバータ７２に出力する。
【００８９】
アップコンバータ７２は、アナログの信号をアップコンバートし、アップコンバート後の信号を、ＰＡ７５またはＰＡ７６に出力する。すなわち、スイッチ７３，７４がａ側に切り替えられている場合には、アップコンバータ７２からの信号はＰＡ７５に入力される。一方で、スイッチ７３，７４がｂ側に切り替えられている場合には、アップコンバータ７２からの信号はＰＡ７６に入力される。
【００９０】
送信電力制御部５５及び１１２は、送信電力増加指示に従って、スイッチ７３，７４をｂ側に切り替える。つまり、送信電力制御部５５及び１１２は、送信電力増加指示に従って、マルチキャスト通信に用いられるＰＡを、ＰＡ７５からＰＡ７６に切り替える。よって、構成例１では、送信電力制御部５５及び１１２は、切替制御部として機能する。
【００９１】
ＰＡ７６の増幅率は、ＰＡ７５の増幅率より大きいため、スイッチ７３，７４がｂ側に切り替えられることにより、ＨＯ元基地局の送信電力を増加させてＨＯ元基地局のセルを拡大することができる。
【００９２】
＜構成例２＞
図１３は、実施例４の無線インタフェース部の一例を示すブロック図（構成例２）である。なお、図１３には送信側の構成例を示す。図１３において、無線インタフェース部５９は、ＰＡ８１を有する。
【００９３】
アップコンバータ７２からの信号はＰＡ８１に入力される。
【００９４】
ＰＡ８１は、可変の増幅率を有するものであり、送信電力制御部５５及び１１２からの制御に従って、増幅率を変化させる。すなわち、送信電力制御部５５及び１１２は、送信電力増加指示に従って、マルチキャスト通信に用いられるＰＡ８１の増幅率を増加させる。よって、構成例２では、送信電力制御部５５及び１１２は、増幅率制御部として機能する。
【００９５】
ＰＡ８１の増幅率を増加することにより、ＨＯ元基地局の送信電力を増加させてＨＯ元基地局のセルを拡大することができる。
【００９６】
［他の実施例］
実施例２，３の基地局、移動局及びハンドオーバ制御装置は、次のようなハードウェア構成により実現することができる。
【００９７】
図１４は、基地局のハードウェア構成例を示す図である。図１４に示すように、基地局５０，１１０は、ハードウェアの構成要素として、ＤＳＰ（Digital  Signal  Processor）５０ａと、ＦＰＧＡ（Field  Programmable  Gate  Array）５０ｂと、メモリ５０ｃと、ＲＦ（Radio  Frequency）回路５０ｄと、ネットワークＩＦ（Inter  Face）５０ｅと、アンテナ５０ｆとを有する。ＤＳＰ５０ａと、ＦＰＧＡ５０ｂとは、スイッチ等のネットワークＩＦ５０ｅを介して各種信号やデータの入出力が可能なように接続されている。メモリ５０ｃは、例えば、ＳＤＲＡＭ（Synchronous  Dynamic  Random  Access  Memory）等のＲＡＭ、ＲＯＭ（Read  Only  Memory)、フラッシュメモリにより構成される。送信電力制御部５５，１１２と、呼制御部５６，１１１と、ハンドオーバ制御部５７と、信号処理部５８とは、例えばＤＳＰ５０ａ、ＦＰＧＡ５０ｂ等の集積回路により実現される。無線インタフェース部５９は、ＲＦ回路５０ｄ及びアンテナ５０ｆにより実現される。基地局間インタフェース部６０と、交換インタフェース部６１とは、ネットワークＩＦ５０ｅにより実現される。
【００９８】
図１５は、移動局のハードウェア構成例を示す図である。図１５に示すように、移動局９０は、ハードウェアの構成要素として、ＣＰＵ（Central  Processing  Unit）９０ａと、メモリ９０ｂと、ＲＦ回路９０ｃと、ＬＣＤ（Liquid  Crystal  Display）等の表示装置９０ｄと、タッチパネル等の入力装置９０ｅと、アンテナ９０ｆとを有する。メモリ９０ｂは、例えば、ＳＤＲＡＭ等のＲＡＭ、ＲＯＭ、フラッシュメモリにより構成される。無線インタフェース部９３は、ＲＦ回路９０ｃ及びアンテナ９０ｆにより実現される。また、制御部９１と、無線プロトコル処理部９２と、無線品質測定部９４とは、例えばＣＰＵ９０ａ等の集積回路により実現される。
【００９９】
図１６は、ハンドオーバ制御装置のハードウェア構成例を示す図である。図１６に示すように、ハンドオーバ制御装置１００は、ハードウェアの構成要素として、ＣＰＵ１００ａと、ネットワークＩＦ１００ｂと、メモリ１００ｃとを有する。メモリ１００ｃは、例えば、ＳＤＲＡＭ等のＲＡＭ、ＲＯＭ、フラッシュメモリにより構成される。ハンドオーバ制御部１０１と、ネットワーク制御部１０２と、基地局間プロトコル処理部１０３とは、ＣＰＵ１００ａにより実現される。基地局間インタフェース部１０４は、ネットワークＩＦ１００ｂにより実現される。記憶部１０５は、メモリ１００ｃにより実現される。
【符号の説明】
【０１００】
１  通信システム
１０，１００  ハンドオーバ制御装置
１１  取得部
１２，５７，１０１  ハンドオーバ制御部
２０，５０，１１０  基地局
３０，９０  移動局
４０  交換機
５５，１１２  送信電力制御部
５６，１１１  呼制御部
５９，９３  無線インタフェース部
７３，７４  スイッチ
７５，７６，８１  ＰＡ
９１  制御部
９４  無線品質測定部
１０２  ネットワーク制御部
【図１】
2014007474.tif 000003
【図２】
2014007474.tif 000004
【図３】
2014007474.tif 000005
【図４】
2014007474.tif 000006
【図５】
2014007474.tif 000007
【図６】
2014007474.tif 000008
【図７】
2014007474.tif 000009
【図８】
2014007474.tif 000010
【図９】
2014007474.tif 000011
【図１０】
2014007474.tif 000012
【図１１】
2014007474.tif 000013
【図１２】
2014007474.tif 000014
【図１３】
2014007474.tif 000015
【図１４】
2014007474.tif 000016
【図１５】
2014007474.tif 000017
【図１６】
2014007474.tif 000018